(57)【要約】【課題】映像出力機器と外部機器との両方において消費電力を低減することが可能な映像出力機器を提供する。【解決手段】この映像出力装置１（映像出力機器）は、ユーザの動きを検出するためのセンサ部１９と、テレビジョン装置２の表示部２４に表示されるデジタル映像信号をテレビジョン装置２に送信するためのＨＤＭＩトランスミッタ１４とを備える。また、映像出力装置１は、センサ部１９において検出されたユーザの動きが所定の基準以上である場合に、テレビジョン装置２に送信されるデジタル映像信号の解像度を低下させる制御を行う制御部１０を備える。【選択図】図４
2014003468.tif 000002
【特許請求の範囲】
【請求項１】
ユーザの動きを検出するための検出部と、
外部機器の表示部に表示される映像信号を前記外部機器に送信するための送信部と、
前記検出部において検出された前記ユーザの動きが所定の基準以上である場合に、前記外部機器に送信される前記映像信号の解像度を低下させる制御を行う制御部とを備える、映像出力機器。
【請求項２】
前記制御部は、前記検出部において検出された前記ユーザの動きが所定の基準以上である場合に、前記外部機器に送信される前記映像信号の解像度を所定のタイミングで段階的に低下させる制御を行うように構成されている、請求項１に記載の映像出力機器。
【請求項３】
前記制御部は、前記外部機器に送信される前記映像信号の解像度を所定の解像度まで段階的に低下させる制御を行った後に、前記外部機器への前記映像信号の送信を停止させる制御を行うように構成されている、請求項２に記載の映像出力機器。
【請求項４】
前記制御部は、前記検出部において検出された前記ユーザの動きが所定の基準以上である場合に、前記映像出力機器の所定の部分への電力供給を中断する制御を行うように構成されている、請求項１〜３のいずれか１項に記載の映像出力機器。
【請求項５】
前記映像出力機器の状態を表示可能な状態表示部をさらに備え、
前記制御部は、前記検出部において検出された前記ユーザの動きが所定の基準以上である場合に、前記状態表示部への電力供給を中断する制御を行うように構成されている、請求項４に記載の映像出力機器。
【請求項６】
ネットワークに接続可能なネットワーク接続部をさらに備え、
前記制御部は、前記検出部において検出された前記ユーザの動きが所定の基準以上である場合に、前記ネットワーク接続部への電力供給を中断する制御を行うように構成されている、請求項４または５に記載の映像出力機器。
【請求項７】
前記制御部は、前記ユーザが前記検出部を横切った回数が所定の回数以上である場合に、前記外部機器に送信される前記映像信号の解像度を低下させる制御を行うように構成されている、請求項１〜６のいずれか１項に記載の映像出力機器。
【請求項８】
前記送信部は、前記外部機器にデジタル映像信号を送信するためのデジタル送信部と、前記外部機器にアナログ映像信号を送信するためのアナログ送信部とを含み、
前記制御部は、前記外部機器に送信される前記デジタル映像信号の解像度を前記所定の解像度まで段階的に低下させる制御を行った後に、前記外部機器への前記デジタル映像信号の送信を停止させる制御と、前記外部機器へ前記アナログ映像信号を送信させる制御とを行うように構成されている、請求項３に記載の映像出力機器。
【請求項９】
前記制御部は、電力消費が多い時間帯において、前記検出部において検出された前記ユーザの動きが所定の基準以上である場合に、前記外部機器に送信される前記映像信号の解像度を低下させる制御を行うように構成されている、請求項１〜８のいずれか１項に記載の映像出力機器。
【請求項１０】
前記制御部は、前記外部機器に送信される前記映像信号の解像度を低下させる制御が行われている状態で、前記映像出力機器または前記外部機器が前記ユーザにより操作された場合には、前記外部機器に送信される前記映像信号の解像度を、低下させる制御を行う前の前記解像度に戻す制御を行うように構成されている、請求項１〜９のいずれか１項に記載の映像出力機器。
【請求項１１】
ユーザの動きを検出するための検出部と、
表示部を含む外部機器と、
前記外部機器の表示部に表示される映像信号を前記外部機器に送信するための送信部を含む映像出力機器と、
前記検出部において検出された前記ユーザの動きが所定の基準以上である場合に、前記外部機器に送信される前記映像信号の解像度を低下させる制御を行う制御部とを備える、映像システム。
【発明の詳細な説明】
【技術分野】
【０００１】
この発明は、映像出力機器および映像システムに関し、特に、ユーザの動きを検出するための検出部を備える映像出力機器および映像システムに関する。
【背景技術】
【０００２】
従来、ユーザの動きを検出するための検出部を備える映像機器が知られている（たとえば、特許文献１参照）。
【０００３】
上記特許文献１には、コンテンツの映像信号が入力されるコンテンツ入力部と、映像信号を処理する映像処理部と、処理された映像信号を表示する表示部と、動き検出部と、制御部とを備えるテレビ視聴装置（外部機器）が開示されている。このテレビ視聴装置では、コンテンツ入力部は、光ディスクなどに記録されたコンテンツを再生するプレーヤ装置（映像出力機器）からコンテンツの映像信号が入力されるように構成されている。また、動き検出部は所定時間内の人の動き量を検出するために設けられている。また、制御部は、コンテンツの表示中に、動き検出部により検出された人の動き量が大きい場合には、表示部のバックライト出力を低下させる制御を行うとともに、映像処理部において輝度やコントラストを低下させる制御と、フレームレートを低下させる制御と、解像度を向上させる超解像処理を停止する制御とを行うように構成されている。
【先行技術文献】
【特許文献】
【０００４】
【特許文献１】特開２０１１−１６６３３１号公報
【発明の概要】
【発明が解決しようとする課題】
【０００５】
しかしながら、上記特許文献１に記載の構成では、コンテンツの表示するテレビ視聴装置における消費電力は低減される一方、コンテンツを再生するプレーヤ装置においては消費電力を低減させる処理が何ら行われないため、プレーヤ装置では消費電力が低減されない。このため、テレビ視聴装置（外部機器）とプレーヤ装置（映像出力機器）との両方において消費電力を低減することができないという問題点がある。
【０００６】
この発明は、上記のような課題を解決するためになされたものであり、この発明の１つの目的は、映像出力機器と外部機器との両方において消費電力を低減することが可能な映像出力機器および映像システムを提供することである。
【課題を解決するための手段】
【０００７】
この発明の第１の局面による映像出力機器は、ユーザの動きを検出するための検出部と、外部機器の表示部に表示される映像信号を外部機器に送信するための送信部と、検出部において検出されたユーザの動きが所定の基準以上である場合に、外部機器に送信される映像信号の解像度を低下させる制御を行う制御部とを備える。
【０００８】
この発明の第１の局面による映像出力機器では、上記のように、検出部において検出されたユーザの動きが所定の基準以上である場合に、外部機器に送信される映像信号の解像度を低下させる制御を行う制御部を設けることによって、映像出力機器から外部機器に送信される映像信号のデータ量を、解像度が低下した分だけ減少させることができるので、データ量が減少した分、映像出力に関する制御上の処理内容が軽減されて、映像出力機器における消費電力を低減することができる。また、映像信号の解像度が低下したことにより外部機器の表示部には細密な（解像度の高い）映像が表示されないので、映像の描画に要する電力を少なくすることができる。これにより、外部機器における消費電力を低減することができる。この結果、映像出力機器と外部機器との両方において消費電力を低減することができる。
【０００９】
上記第１の局面による映像出力機器において、好ましくは、制御部は、検出部において検出されたユーザの動きが所定の基準以上である場合に、外部機器に送信される映像信号の解像度を所定のタイミングで段階的に低下させる制御を行うように構成されている。このように構成すれば、映像信号の解像度を一度に大きく下げる場合と比べて、徐々に解像度を低下させることができるので、表示部の映像が急激に粗くなることに起因してユーザに違和感を与えてしまうことを抑制することができる。
【００１０】
この場合、好ましくは、制御部は、外部機器に送信される映像信号の解像度を所定の解像度まで段階的に低下させる制御を行った後に、外部機器への映像信号の送信を停止させる制御を行うように構成されている。このように構成すれば、映像出力機器から外部機器への映像信号の送信を停止する分、映像出力機器における消費電力をより低減することができる。
【００１１】
上記第１の局面による映像出力機器において、好ましくは、制御部は、検出部において検出されたユーザの動きが所定の基準以上である場合に、映像出力機器の所定の部分への電力供給を中断する制御を行うように構成されている。このように構成すれば、映像出力機器の所定の部分において電力が消費されないので、映像出力機器における消費電力をさらに低減することができる。
【００１２】
この場合、好ましくは、映像出力機器の状態を表示可能な状態表示部をさらに備え、制御部は、検出部において検出されたユーザの動きが所定の基準以上である場合に、状態表示部への電力供給を中断する制御を行うように構成されている。このように構成すれば、状態表示部において電力が消費されないので、状態表示部へ供給していた電力の分、映像出力機器における消費電力をさらに低減することができる。
【００１３】
上記所定の部分への電力供給を中断する映像出力機器において、好ましくは、ネットワークに接続可能なネットワーク接続部をさらに備え、制御部は、検出部において検出されたユーザの動きが所定の基準以上である場合に、ネットワーク接続部への電力供給を中断する制御を行うように構成されている。このように構成すれば、ネットワーク接続部において電力が消費されないので、ネットワーク接続部へ供給していた電力の分、映像出力機器における消費電力をさらに低減することができる。
【００１４】
上記第１の局面による映像出力機器において、好ましくは、制御部は、ユーザが検出部を横切った回数が所定の回数以上である場合に、外部機器に送信される映像信号の解像度を低下させる制御を行うように構成されている。ここで、ユーザが検出部を横切った回数が所定の回数以上である場合には、ユーザの動きが大きく、ユーザが集中して視聴している状態にないと考えられるので、外部機器の表示部に細密な（解像度の高い）映像を表示する必要がないと考えられる。このようなユーザが集中して視聴している状態にない場合に、制御部が外部機器に送信される映像信号の解像度を低下させる制御を行うことによって、表示部の映像が粗くなることに起因してユーザに違和感を与えてしまうことを抑制しつつ、映像出力機器と外部機器との両方において消費電力を低減することができる。
【００１５】
上記外部機器への映像信号の送信を停止させる映像出力機器において、好ましくは、送信部は、外部機器にデジタル映像信号を送信するためのデジタル送信部と、外部機器にアナログ映像信号を送信するためのアナログ送信部とを含み、制御部は、外部機器に送信されるデジタル映像信号の解像度を所定の解像度まで段階的に低下させる制御を行った後に、外部機器へのデジタル映像信号の送信を停止させる制御と、外部機器へアナログ映像信号を送信させる制御とを行うように構成されている。このように構成すれば、外部機器へのデジタル映像信号の送信を停止させることにより、デジタル映像信号の送信を停止した分、映像出力機器における消費電力をより低減することができる。また、外部機器へアナログ映像信号を送信させることにより、アナログ映像信号による映像を外部機器の表示部に表示することができるので、外部機器の表示部に映像が表示されなくなったことに起因してユーザに違和感を与えてしまうことを抑制することができる。
【００１６】
上記第１の局面による映像出力機器において、好ましくは、制御部は、電力消費が多い時間帯において、検出部において検出されたユーザの動きが所定の基準以上である場合に、外部機器に送信される映像信号の解像度を低下させる制御を行うように構成されている。このように構成すれば、電力会社からの電力供給が不足がちとなる電力使用率が高い時間帯における消費電力を低減することができる。
【００１７】
上記第１の局面による映像出力機器において、好ましくは、制御部は、外部機器に送信される映像信号の解像度を低下させる制御が行われている状態で、映像出力機器または外部機器がユーザにより操作された場合には、外部機器に送信される映像信号の解像度を、低下させる制御を行う前の解像度に戻す制御を行うように構成されている。このように構成すれば、ユーザは映像出力機器または外部機器を操作することにより、低下していた解像度を容易に元の解像度に戻すことができるので、ユーザに対して表示部の映像が粗い状態のままの視聴を強いることを抑制することができる。
【００１８】
この発明の第２の局面による映像システムは、ユーザの動きを検出するための検出部と、表示部を含む外部機器と、外部機器の表示部に表示される映像信号を外部機器に送信するための送信部を含む映像出力機器と、検出部において検出されたユーザの動きが所定の基準以上である場合に、外部機器に送信される映像信号の解像度を低下させる制御を行う制御部とを備える。
【００１９】
この発明の第２の局面による映像システムでは、上記のように、検出部において検出されたユーザの動きが所定の基準以上である場合に、外部機器に送信される映像信号の解像度を低下させる制御を行う制御部を設けることによって、映像出力機器から外部機器に送信される映像信号のデータ量を、解像度が低下した分だけ減少させることができるので、データ量が減少した分、映像出力に関する制御上の処理内容が低減されて、映像出力機器における消費電力を低減することができる。また、映像信号の解像度が低下したことにより外部機器の表示部には細密な（解像度の高い）映像が表示されないので、映像の描画に要する電力を少なくすることができる。これにより、外部機器における消費電力を低減することができる。この結果、映像出力機器と外部機器との両方において消費電力を低減することができる。
【図面の簡単な説明】
【００２０】
【図１】本発明の一実施形態によるＡＶシステムの構成を示した正面図である。
【図２】本発明の一実施形態によるＡＶシステムの構成を示したブロック図である。
【図３】本発明の一実施形態によるＡＶシステムにおける省電力設定を行うための設定画面を示した図である。
【図４】本発明の一実施形態によるＡＶシステムにおける映像出力装置の省電力時の制御処理フローを示した図である。
【図５】本発明の一実施形態によるＡＶシステムにおける映像出力装置の解像度低下の制御処理フローを示した図である。
【発明を実施するための形態】
【００２１】
以下、本発明の実施形態を図面に基づいて説明する。
【００２２】
まず、図１〜図３を参照して、本発明の一実施形態によるＡＶシステム１００の構造について説明する。なお、ＡＶシステム１００は、本発明の「映像システム」の一例である。
【００２３】
本発明の一実施形態によるＡＶシステム１００は、図１に示すように、映像出力装置１とテレビジョン装置２とを備えている。映像出力装置１とテレビジョン装置２とは、図２に示すように、ＨＤＭＩケーブル３およびアナログケーブル４によって互いに接続されている。また、ＡＶシステム１００は、一般的に電力消費が大きい午前１０時から午後１７時までの時間帯（設定時間帯）において、通常モードから消費電力を低減する省電力モードに切り替わるように構成されている。なお、映像出力装置１およびテレビジョン装置２は、それぞれ、本発明の「映像出力機器」および「外部機器」の一例である。
【００２４】
映像出力装置１は、制御部１０と、メモリ部１１と、チューナー部１２と、再生部１３とを備えている。また、映像出力装置１は、ＨＤＭＩトランスミッタ１４と、アナログ信号部１５と、ネットワーク接続部１６と、操作部１７とを備えている。さらに、映像出力装置１は、図１に示すように、表示窓１８と、センサ部１９とを備えている。なお、ＨＤＭＩトランスミッタ１４は、本発明の「送信部」および「デジタル送信部」の一例である。また、表示窓１８およびセンサ部１９は、それぞれ、本発明の「状態表示部」および「検出部」の一例である。
【００２５】
制御部１０はＣＰＵからなり、制御プログラムを実行することにより映像出力装置１全体の動作制御を行うように構成されている。メモリ部１１は、省電力モードにおける後述する省電力設定が記録されるように構成されている。チューナー部１２は、テレビジョン放送のデジタル映像信号およびデジタル音声信号（デジタル信号）を受信する機能を有している。再生部１３は、図１に示すように、テレビジョン装置２の前面に配置され、図示しないブルーレイディスクが挿入される格納部１３ａ（図１参照）を有している。また、再生部１３は、格納部１３ａに格納されたブルーレイディスクから、デジタル信号を読み出す機能を有している。
【００２６】
ＨＤＭＩトランスミッタ１４は、図２に示すように、ＨＤＭＩケーブル３を介して、テレビジョン装置２とデジタル信号の送受信を行う機能と、ＣＥＣ制御信号を用いてテレビジョン装置２に所定の操作指示を行う信号を送信する機能とを有している。
【００２７】
アナログ信号部１５は、信号変換部１５ａと、アナログ信号送信部１５ｂとを含んでいる。信号変換部１５ａは、デジタル映像信号およびデジタル音声信号を、それぞれ、アナログ映像信号およびアナログ音声信号（アナログ信号）に変換する機能を有している。アナログ信号送信部１５ｂは、アナログケーブル４を介して、変換されたアナログ信号をテレビジョン装置２に送信する機能を有している。なお、アナログ信号送信部１５ｂは、本発明の「アナログ送信部」の一例である。
【００２８】
ネットワーク接続部１６は、ネットワーク５に接続されており、ネットワーク５からデジタル信号を取得可能に構成されている。このネットワーク接続部１６は、制御部１０（図２参照）によって電力供給されるか否かが切り替えられるように構成されている。操作部１７は、図示しないリモコンからの赤外線を受信する受信部１７ａを含む。また、操作部１７は、リモコンがユーザによって操作されることにより、ユーザの映像出力装置１に対する操作を受け付ける機能を有している。
【００２９】
表示窓１８は、蛍光表示管からなる。また、表示窓１８は、図１に示すように、映像出力装置１の前面に設けられており、再生部１３（図２参照）での再生状態（ＰＬＡＹなど））や再生時間などの映像出力装置１の状態を示すために設けられている。この表示窓１８は、制御部１０（図２参照）によって電力供給されるか否かが切り替えられるように構成されている。センサ部１９は、赤外線センサからなる。また、センサ部１９は、映像出力装置１の前面に設けられており、センサ部１９から放射される赤外線が一時的に遮られたことを検出することによって、センサ部１９がユーザに横切られたことを検出可能に構成されている。
【００３０】
テレビジョン装置２は、図２に示すように、制御部２０と、ＨＤＭＩトランスミッタ２１と、アナログ信号受信部２２と、倍速処理部２３とを備えている。また、テレビジョン装置２は、表示部２４と、音声出力部２５と、操作部２６とを備えている。
【００３１】
制御部２０はＣＰＵからなり、制御プログラムを実行することによりテレビジョン装置２全体の動作制御を行うように構成されている。ＨＤＭＩトランスミッタ２１は、ＨＤＭＩケーブル３を介して、映像出力装置１とデジタル信号の送受信を行う機能と、ＣＥＣ制御信号を用いて映像出力装置１に所定の操作指示を行う信号を送信する機能とを有している。アナログ信号受信部２２は、アナログケーブル４を介して映像出力装置１からのアナログ信号を受信する機能を有している。倍速処理部２３は、表示部２４に１秒間あたりに表示される画面の数（フレームレート）を２倍にする（倍速処理を行う）ことによって、表示部２４の映像を滑らかにする機能を有している。
【００３２】
表示部２４は、図１に示すように、テレビジョン装置２の前面に配置されており、映像出力装置１から受信したデジタル映像信号またはアナログ映像信号に基づいて、映像を表示する機能を有している。また、表示部２４は、制御部２０（図２参照）によって輝度が低下させられるように構成されているとともに、電力供給されるか否かが切り替えられるように構成されている。音声出力部２５は、表示部２４を挟み込むように一対設けられたスピーカ部２５ａを含む。また、音声出力部２５は、映像出力装置１から受信したデジタル音声信号またはアナログ音声信号に基づいて、音声を出力する機能を有している。操作部２６は、図示しないリモコンからの赤外線を受信する受信部２６ａを含む。また、操作部２６は、リモコンがユーザによって操作されることにより、ユーザの映像出力装置１に対する操作を受け付ける機能を有している。
【００３３】
ここで、本実施形態では、映像出力装置１の制御部１０は、省電力モードにおいて、テレビジョン装置２に送信されるデジタル映像信号の解像度を低下させることが可能に構成されている。具体的には、通常モードにおいて、映像出力装置１からテレビジョン装置２に送信されるデジタル映像信号は、１０８０ｐの解像度を有している。そして、制御部１０は、１０８０ｐの解像度を有するデジタル映像信号の解像度を、１０８０ｉ、７２０ｉまたは４８０ｉのいずれかに低下させることが可能に構成されている。なお、４８０ｉの解像度は、本発明の「所定の解像度」の一例である。
【００３４】
なお、解像度は、前半部分の数字部分（１０８０、７２０または４８０）と、後半部分の英字部分（ｐまたはｉ）とから構成されている。解像度の数字部分は有効走査線を意味しており、有効走査線が多くなるに従い、表示部２４に表示される映像はより細密になる。また、解像度の英字部分は描画方式を示している。詳細には、ｐは１つの画面表示を１回の走査で行うプログレッシブ方式で描画を行うことを意味しており、ｉは１つの画面表示を２回の走査で行うインターレース方式で描画を行うことを意味している。ここで、プログレッシブ方式の方がインターレース方式よりも画面の描画回数が２倍になるので、表示部２４に表示される映像はより細密になる。この結果、デジタル映像信号の解像度が１０８０ｐ、１０８０ｉ、７２０ｉおよび４８０ｉの順に低下するに従い、表示部２４に表示される映像は段階的に粗くなる。
【００３５】
また、映像出力装置１の制御部１０は、省電力モードにおける省電力設定をユーザが設定することが可能に構成されている。具体的には、制御部１０は、図３に示すように、省電力設定を行うための設定画面２４ａをテレビジョン装置２の表示部２４に表示させるように構成されている。この設定画面２４ａは、ユーザが操作部１７の図示しないリモコンを操作することによって表示されるように構成されている。
【００３６】
設定画面２４ａには、省電力のための５つの項目が表示されている。具体的には、映像出力装置１からテレビジョン装置（ＴＶ）２に送信されるデジタル映像信号の解像度を低下させる項目「解像度低下」、映像出力装置１の表示窓１８への電力供給を中断させる項目「表示窓の電源ＯＦＦ」、テレビジョン装置２の表示部２４の輝度を低下させる項目「ＴＶの輝度低下」、テレビジョン装置２の倍速処理部２３の機能を停止させる項目「ＴＶの倍速処理停止」、および、映像出力装置１のネットワーク接続部１６への電力供給を中断させる項目「ネットワーク接続部の電源ＯＦＦ」が表示されている。また、各々の項目には、省電力化を選択するか否かを選択するためのＯＮボタン２４ｂおよびＯＦＦボタン２４ｃが表示されている。
【００３７】
そして、ユーザにより操作部１７を介して、各々の項目に対して、省電力化を選択する場合にはＯＮボタン２４ｂが選択され、省電力化を選択しない場合にはＯＦＦボタン２４ｃが選択される。その後、省電力設定を確定するためのＯＫボタン２４ｄがユーザに選択されることによって、各々の項目に関する省電力設定がメモリ部１１（図２参照）に記録されるように構成されている。
【００３８】
次に、図１〜図５を参照して、映像出力装置１の制御部１０の制御処理フローについて説明する。
【００３９】
まず、通常モードにおいて、映像出力装置１（図２参照）では、チューナー部１２（図２参照）において受信した、または、再生部１３（図２参照）においてブルーレイディスクから読み出されたデジタル映像信号およびデジタル音声信号（デジタル信号）が、ＨＤＭＩケーブル３（図２参照）を介してテレビジョン装置２（図２参照）に送信されている。また、信号変換部１５ａ（図２参照）において変換されたアナログ映像信号およびアナログ音声信号が、アナログケーブル４（図２参照）を介してテレビジョン装置２に送信されている。ここで、映像出力装置１からテレビジョン装置２に送信されるデジタル映像信号の解像度は、１０８０ｐである。また、テレビジョン装置２では、１０８０ｐの解像度のデジタル映像信号に基づいて、表示部２４（図２参照）に映像が表示されるとともに、デジタル音声信号に基づいて、音声出力部２５（図２参照）から音声が出力されている。
【００４０】
この通常モードから、図４に示すように、制御部１０（図２参照）により、ステップＳ１において、現在の時間が電力消費が大きい省電力モードの設定時間帯であるか否かが判断される。省電力モードの設定時間帯でないと判断された場合には、制御部１０の制御が終了される。
【００４１】
省電力モードの設定時間帯であると判断された場合には、通常モードから省電力モードに切り替えられて、制御部１０により、ステップＳ２において、センサ部１９（図１参照）がユーザに１０秒間に５回以上横切られたか否かが判断される。センサ部１９がユーザに１０秒間に５回以上横切られていないと判断された場合には、ユーザは集中して視聴している状態であると判断されて、ステップＳ１に戻る。
【００４２】
一方、センサ部１９がユーザに１０秒間に５回以上横切られたと判断された場合には、ユーザは、動きが多い状態であり、集中して視聴している状態にないと判断されて、消費電力の低減に関する制御が実行される。具体的には、制御部１０により、ステップＳ３において、設定画面２４ａ（図３参照）の「解像度低下」の項目においてＯＮボタン２４ｂ（図３参照）が選択されたことによって、映像出力装置１からテレビジョン装置２に送信されるデジタル映像信号の解像度を低下させると設定されているか否かが判断される。解像度を低下させると設定されていると判断された場合には、制御部１０により、ステップＳ４において、解像度が１０８０ｐから１０８０ｉに下げられる。そして、１０８０ｉの解像度を有するデジタル映像信号が映像出力装置１からテレビジョン装置２に送信される。これにより、映像出力装置１から送信されるデジタル映像信号のデータ量が減少する。また、テレビジョン装置２では、プログレッシブ方式からインターレース方式に切り替えられることによって、画面の描画回数が半分になる。そして、ステップＳ５に進む。また、ステップＳ３において解像度を低下させると設定されていないと判断された場合にもステップＳ５に進む。
【００４３】
また、制御部１０により、ステップＳ５において、設定画面２４ａの「表示窓の電源ＯＦＦ」の項目においてＯＮボタン２４ｂが選択されたことによって、表示窓１８（図２参照）への電力供給を中断させると設定されているか否かが判断される。表示窓１８への電力供給を中断させると設定されていると判断された場合には、制御部１０により、ステップＳ６において、表示窓１８への電力供給が中断されて、表示窓１８に映像出力装置１の状態が表示されなくなる。これにより、表示窓１８において電力が消費されなくなるので、映像出力装置１における消費電力が低減される。そして、ステップＳ７に進む。また、ステップＳ５において表示窓１８への電力供給を中断させると設定されていないと判断された場合にもステップＳ７に進む。
【００４４】
また、制御部１０により、ステップＳ７において、設定画面２４ａの「ＴＶの輝度低下」という項目においてＯＮボタン２４ｂが選択されたことによって、テレビジョン装置２の表示部２４の輝度を低下させると設定されているか否かが判断される。表示部２４の輝度を低下させると設定されていると判断された場合には、制御部１０により、ステップＳ８において、表示部２４の輝度を低下させるという内容の輝度低下信号が生成されて、ＣＥＣ制御信号としてテレビジョン装置２に送信される。そして、ステップＳ９に進む。これにより、テレビジョン装置２では、輝度低下信号に基づいて表示部２４の輝度が低下されるので、表示部２４の輝度が低下された分、テレビジョン装置２における消費電力を低減することが可能である。また、ステップＳ７において表示部２４の輝度を低下させると設定されていないと判断された場合にもステップＳ９に進む。
【００４５】
また、制御部１０により、ステップＳ９において、設定画面２４ａの「ＴＶの倍速処理停止」という項目においてＯＮボタン２４ｂが選択されたことによって、テレビジョン装置２の倍速処理部２３（図２参照）の機能を停止させると設定されているか否かが判断される。倍速処理部２３の機能を停止させると設定されていると判断された場合には、制御部１０により、ステップＳ１０において、倍速処理部２３の機能を停止させるという内容の倍速処理停止信号が生成されて、ＣＥＣ制御信号としてテレビジョン装置２に送信される。そして、ステップＳ１１に進む。これにより、テレビジョン装置２では、倍速処理停止信号に基づいて倍速処理部２３の機能が停止されて２倍であったフレームレートが１倍になる。これにより、表示部２４に表示される画面の数が減少する分、テレビジョン装置２における消費電力を低減することが可能である。また、ステップＳ９において倍速処理部２３の機能を停止させると設定されていないと判断された場合にもステップＳ１１に進む。
【００４６】
また、制御部１０により、ステップＳ１１において、設定画面２４ａの「ネットワーク接続部の電源ＯＦＦ」の項目においてＯＮボタン２４ｂが選択されたことによって、ネットワーク接続部１６（図２参照）への電力供給を中断させると設定されているか否かが判断される。ネットワーク接続部１６への電力供給を中断させると設定されていると判断された場合には、制御部１０により、ステップＳ１２において、ネットワーク接続部１６への電力供給が中断される。これにより、ネットワーク接続部１６において電力が消費されなくなるので、映像出力装置１における消費電力が低減される。そして、ステップＳ１３に進む。また、ステップＳ１１においてネットワーク接続部１６への電力供給を中断させると設定されていないと判断された場合にもステップＳ１３に進む。
【００４７】
このように、ステップＳ４、ステップＳ６、ステップＳ８、ステップＳ１０またはステップＳ１２のうちのいずれか１つの制御が少なくとも行われることによって、ＡＶシステム１００全体における消費電力が低減される。
【００４８】
その後、制御部１０により、ステップＳ１３において、ユーザにより、映像出力装置１の操作部１７、または、テレビジョン装置２の操作部２６（図２参照）が操作されたか否かが判断される。操作部１７または２６が操作されたと判断された場合には、制御部１０により、ステップＳ１４において、ユーザが省電力モードの解除を選択したと判断されて、映像出力装置１およびテレビジョン装置２の状態が通常モードの状態に戻される。具体的には、映像出力装置１の制御部１０により、映像出力装置１からテレビジョン装置２に送信されるデジタル映像信号の低下した解像度（１０８０ｉ、７２０ｉまたは４８０ｉ）が１０８０ｐの解像度に戻されるとともに、表示窓１８およびネットワーク接続部１６への電力供給が再開される。また、制御部１０により、輝度を元に戻す信号がＣＥＣ制御信号としてテレビジョン装置２に送信されることによって、表示部２４の輝度が元に戻される。また、制御部１０により、倍速処理を再開する信号がＣＥＣ制御信号としてテレビジョン装置２に送信されることによって、倍速処理部２３での倍速処理が再開される。そして、ステップＳ１に戻る。
【００４９】
一方、操作部１７および２６のいずれも操作されていないと判断された場合には、制御部１０により、ステップＳ１５において、消費電力の低減に関する制御が実行されると判断されてから、１０秒経過したか否かが判断される。１０秒経過したと判断された場合には、制御部１０により、ステップＳ１６において、上記ステップＳ３と同様に、解像度を低下させると設定されているか否かが判断される。解像度を低下させると設定されていると判断された場合には、ステップＳ１７に進み、図５に示す解像度低下処理が行われる。
【００５０】
また、ステップＳ１５において１０秒経過していないと判断された場合、および、ステップＳ１６において解像度を低下させると設定されていないと判断された場合には、制御部１０により、ステップＳ１８において、上記ステップＳ１と同様に、現在の時間が省電力モードに切り替わる設定時間帯であるか否かが判断される。省電力モードの設定時間帯であると判断された場合には、ステップＳ１３に戻り、省電力モードが継続される。また、省電力モードの設定時間帯でないと判断された場合には、省電力モードから通常モードに切り替えられて、制御部１０により、ステップＳ１９において、上記ステップＳ１４と同様に、映像出力装置１およびテレビジョン装置２の状態が通常モードの状態に戻される。そして、制御部１０の制御が終了される。
【００５１】
ここで、図５に示す映像出力装置１の解像度低下処理では、まず、制御部１０により、ステップＳ１７ａにおいて、アナログ信号送信部１５ｂ（図２参照）からアナログ映像信号が出力されているか否かが判断される。アナログ映像信号が出力されていないと判断された場合には、新たな処理を行わずに、解像度低下処理が終了されて図４のステップＳ１８に進む。
【００５２】
また、アナログ映像信号が出力されていると判断された場合には、制御部１０により、ステップＳ１７ｂにおいて、映像出力装置１からデジタル映像信号およびデジタル音声信号（デジタル信号）が出力されているか否かが判断される。デジタル信号が出力されていないと判断された場合には、制御部１０により、ステップＳ１７ｃにおいて、映像出力装置１からテレビジョン装置２に送信されるアナログ映像信号の出力が停止される。そして、制御部１０により、ステップＳ１７ｄにおいて、表示部２４への電力供給を中断させるという内容の表示部２４の電源ＯＦＦ信号が生成されて、ＣＥＣ制御信号としてテレビジョン装置２に送信される。その後、解像度低下処理が終了されて図４のステップＳ１８に進む。これにより、テレビジョン装置２にアナログ映像信号を送信する必要がなくなるので、映像出力装置１における消費電力を低減することが可能である。また、表示部２４への電力供給が中断されるので、テレビジョン装置２における消費電力を低減することが可能である。
【００５３】
なお、アナログ音声信号はテレビジョン装置２に送信され続ける。これにより、テレビジョン装置２の音声出力部２５から音声が出力されなくなるのが防止されるので、テレビジョン装置２から音声が出力されなくなることに起因してユーザに違和感を与えてしまうことを抑制することが可能である。
【００５４】
また、ステップＳ１７ｂにおいてデジタル信号が出力されていると判断された場合には、制御部１０により、ステップＳ１７ｅにおいて、映像出力装置１からテレビジョン装置２に送信されるデジタル映像信号の解像度が４８０ｉであるか否かが判断される。デジタル映像信号の解像度が４８０ｉであると判断された場合には、制御部１０により、ステップＳ１７ｆにおいて、映像出力装置１からテレビジョン装置２に送信されるデジタル信号の出力が停止される。その後、解像度低下処理が終了されて図４のステップＳ１８に進む。これにより、デジタル信号を送信する必要がなくなるので、映像出力装置１における消費電力が低減される。なお、この際、映像出力装置１からテレビジョン装置２にアナログ映像信号およびアナログ音声信号は出力され続ける。
【００５５】
また、ステップＳ１７ｅにおいてデジタル映像信号の解像度が４８０ｉでない（１０８０ｉまたは７２０ｉである）と判断された場合には、制御部１０により、ステップＳ１７ｇにおいて、解像度が一段階下げられた状態で、デジタル映像信号が映像出力装置１からテレビジョン装置２に送信される。つまり、１０８０ｉおよび７２０ｉの解像度が、それぞれ、７２０ｉおよび４８０ｉに下げられた状態で、デジタル映像信号が送信される。その後、解像度低下処理が終了されて図４のステップＳ１８に進む。
【００５６】
これにより、ＡＶシステム１００の省電力モードにおいて解像度を低下させる場合には、センサ部１９がユーザに１０秒間に５回以上横切られたと判断された後、１０秒経過するごとに、制御部１０により、デジタル映像信号の解像度が、１０８０ｐ、１０８０ｉ、７２０ｉおよび４８０ｉの順に段階的に低下される制御が行われる。そして、デジタル映像信号の解像度が４８０ｉにされた後、１０秒経過後に、制御部１０により、デジタル映像信号およびデジタル音声信号（デジタル信号）の出力が停止される制御が行われる。さらに、デジタル信号の出力が停止された後、１０秒経過後に、制御部１０により、アナログ映像信号の出力が停止される制御が行われるとともに、テレビジョン装置２において表示部２４への電力供給が中断される。
【００５７】
本実施形態では、上記のように、センサ部１９がユーザに１０秒間に５回以上横切られたと判断された場合には、制御部１０により、１０８０ｐ、１０８０ｉおよび７２０ｉの解像度が、それぞれ、１０８０ｉ、７２０ｉおよび４８０ｉに下げられた状態で、デジタル映像信号が映像出力装置１からテレビジョン装置２に送信されることによって、映像出力装置１からテレビジョン装置２に送信されるデジタル映像信号のデータ量を、解像度が低下した分だけ減少させることができるので、データ量が減少した分、映像出力に関する制御上の処理内容が低減されて、映像出力装置１における消費電力を低減することができる。また、デジタル映像信号の解像度が低下したことによりテレビジョン装置２の表示部２４には細密な（解像度の高い）映像が表示されないので、映像の描画に要する電力を少なくすることができる。これにより、テレビジョン装置２における消費電力を低減することができる。この結果、ユーザが集中して視聴している状態にない場合に、表示部２４の映像が粗くなることに起因してユーザに違和感を与えてしまうことを抑制しつつ、映像出力装置１とテレビジョン装置２とを備えるＡＶシステム１００全体において消費電力を低減することができる。
【００５８】
また、本実施形態では、上記のように、センサ部１９がユーザに１０秒間に５回以上横切られたと判断された後、１０秒経過するごとに（所定のタイミングで）、制御部１０により、デジタル映像信号の解像度が、１０８０ｐ、１０８０ｉ、７２０ｉおよび４８０ｉの順に段階的に低下されることによって、デジタル映像信号の解像度を一度に大きく下げる場合と比べて、徐々に解像度を低下させることができるので、表示部２４の映像が急激に粗くなることに起因してユーザに違和感を与えてしまうことを抑制することができる。
【００５９】
また、本実施形態では、上記のように、デジタル映像信号の解像度が段階的に４８０ｉにされた後、１０秒経過後に、制御部１０により、デジタル映像信号およびデジタル音声信号の出力が停止されることによって、映像出力装置１からテレビジョン装置２へのデジタル映像信号およびデジタル音声信号の送信を停止する分、映像出力装置１における消費電力をより低減することができる。
【００６０】
また、本実施形態では、上記のように、センサ部１９がユーザに１０秒間に５回以上横切られたと判断された場合に、制御部１０により、表示窓１８への電力供給が中断されることによって、表示窓１８において電力が消費されないので、表示窓１８へ供給していた電力の分、映像出力装置１における消費電力をさらに低減することができる。
【００６１】
また、本実施形態では、上記のように、センサ部１９がユーザに１０秒間に５回以上横切られたと判断された場合に、制御部１０により、ネットワーク接続部１６への電力供給が中断されることによって、ネットワーク接続部１６において電力が消費されないので、ネットワーク接続部１６へ供給していた電力の分、映像出力装置１における消費電力をさらに低減することができる。
【００６２】
また、本実施形態では、上記のように、デジタル映像信号の解像度が段階的に４８０ｉにされた後、１０秒経過後に、制御部１０により、デジタル映像信号およびデジタル音声信号（デジタル信号）の出力が停止されることによって、デジタル信号の送信を停止した分、映像出力装置１における消費電力をより低減することができる。また、制御部１０により、デジタル信号の出力が停止された際、映像出力装置１からテレビジョン装置２にアナログ映像信号が出力され続けることによって、アナログ映像信号による映像をテレビジョン装置２の表示部２４に表示することができるので、表示部２４に映像が表示されなくなったことに起因してユーザに違和感を与えてしまうことを抑制することができる。
【００６３】
また、本実施形態では、上記のように、電力消費が大きい省電力モードの設定時間帯であると判断された場合に、通常モードから省電力モードに切り替えられるように構成することによって、電力会社からの電力供給が不足がちとなる電力使用率が高い時間帯における消費電力を低減することができる。
【００６４】
また、本実施形態では、上記のように、ユーザにより、映像出力装置１の操作部１７、または、テレビジョン装置２の操作部２６が操作されたと判断された場合には、制御部１０により、映像出力装置１からテレビジョン装置２に送信されるデジタル映像信号の低下した解像度が１０８０ｐの解像度に戻されることによって、ユーザは操作部１７または２６を操作することにより、低下していた解像度を容易に元の解像度に戻すことができるので、ユーザに対してテレビジョン装置２の表示部２４の映像が粗い状態のままの視聴を強いることを抑制することができる。
【００６５】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００６６】
たとえば、上記実施形態では、センサ部１９がユーザに１０秒間に５回以上横切られた場合に消費電力の低減に関する制御が実行される例を示したが、本発明はこれに限られない。たとえば、ユーザが所定の速度でセンサ部を横切った場合に、ユーザが集中して視聴している状態にないと判断して、消費電力の低減に関する制御が実行されるように構成してもよい。
【００６７】
また、上記実施形態では、デジタル映像信号の解像度を、１０８０ｐ、１０８０ｉ、７２０ｉおよび４８０ｉの順に段階的に低下させる例を示したが、本発明はこれに限られない。本発明では、段階的に解像度を低下させずに、１０８０ｐから４８０ｉに一度に低下させてもよい。これにより、消費電力がより低減した状態に早期に移行することが可能である。また、１０８０ｐから４８０ｉに徐々に低下させることによって、解像度を滑らかに低下させてもよい。これにより、ユーザに違和感を与えることを抑制しつつ、解像度を低下させることが可能である。
【００６８】
また、上記実施形態では、１０秒経過するごとに、デジタル映像信号の解像度を段階的に低下させる例を示したが、本発明はこれに限られない。たとえば、ユーザの動きが所定の基準以上である状態が継続している場合に、デジタル映像信号の解像度を段階的に低下させてもよい。
【００６９】
また、上記実施形態では、本発明の「検出部」の一例として、映像出力装置１に設けられたセンサ部１９を示したが、本発明はこれに限られない。本発明では、検出部を映像出力装置ではなくテレビジョン装置に設けてもよい。また、検出部を映像出力装置およびテレビジョン装置とは別途設けてもよい。
【００７０】
また、上記実施形態では、本発明の「制御部」の一例として、映像出力装置１に設けられた制御部１０を示したが、本発明はこれに限られない。本発明では、制御部を映像出力装置ではなくテレビジョン装置に設けてもよい。この際、映像信号の解像度を低下させる旨の信号がＣＥＣ制御信号としてテレビジョン装置から映像出力装置に送信されることによって、映像出力装置からテレビジョン装置に送信される映像信号の解像度が低下されるように構成することが可能である。また、制御部を映像出力装置およびテレビジョン装置とは別途設けてもよい。
【００７１】
また、上記実施形態では、本発明の「検出部」の一例として、赤外線センサからなるセンサ部１９を示したが、本発明はこれに限られない。たとえば、本発明の「検出部」をユーザの動きを撮影可能なカメラ部（撮像部）からなるように構成してもよい。
【００７２】
また、上記実施形態では、デジタル映像信号およびデジタル音声信号と、アナログ映像信号およびアナログ音声信号との両方が映像出力装置１からテレビジョン装置２に送信される例を示したが、本発明はこれに限られない。本発明では、アナログ映像信号およびアナログ音声信号を送信されずに、デジタル映像信号およびデジタル音声信号のみが映像出力装置からテレビジョン装置に送信されるように構成してもよい。これにより、アナログ映像信号およびアナログ音声信号を送信しない分、映像出力装置における消費電力を低減することが可能である。
【００７３】
また、上記実施形態では、一般的に電力消費が大きい午前１０時から午後１７時までの時間帯（設定時間帯）である場合に、通常モードから省電力モードに切り替えられる例を示したが、本発明はこれに限られない。本発明では、省電力モードの設定時間帯をユーザが設定可能に構成してもよい。また、設定時間帯を設けずに、常に省電力モードに設定可能に構成してもよい。
【００７４】
また、上記実施形態では、デジタル映像信号の解像度として、１０８０ｐ、１０８０ｉ、７２０ｉおよび４８０ｉを用いる例を示したが、本発明はこれに限られない。本発明では、デジタル映像信号の解像度として、７２０ｐや４８０ｐなどの解像度を用いてもよい。
【００７５】
また、上記実施形態では、映像出力装置１の操作部１７、または、テレビジョン装置２の操作部２６が操作された場合に、ＡＶシステム１００が省電力モードから通常モードに戻される例を示したが、本発明はこれに限られない。たとえば、制御部が映像信号の解像度を低下させる制御を始めてから所定の期間、ユーザの動きが所定の基準未満である場合に、ＡＶシステムが省電力モードから通常モードに戻されるように構成してもよい。
【００７６】
また、上記実施形態では、デジタル映像信号の低下した解像度が１０８０ｐの解像度に一度に戻される例を示したが、本発明はこれに限られない。本発明では、低下した解像度が段階的に戻されるように構成してもよい。たとえば、７２０ｉの解像度に低下されている状態から通常モードの状態に戻される場合に、まず、解像度が１０８０ｉに戻され、所定の期間経過後、解像度が１０８０ｐに戻されるように構成してもよい。
【００７７】
また、上記実施形態では、本発明の「映像出力機器」が、チューナー部１２と再生部１３とを備える映像出力装置１からなる例を示したが、本発明はこれに限られない。たとえば、映像出力装置は、デジタル映像信号が記録されたＨＤＤを備えていてもよい。
【００７８】
また、上記実施形態では、説明の便宜上、本発明の制御部の処理を制御処理フローに沿って順番に処理を行うフロー駆動型のフローチャートを用いて説明したが、本発明はこれに限られない。本発明では、制御部の処理動作を、イベント単位で処理を実行するイベント駆動型（イベントドリブン型）の処理により行ってもよい。この場合、完全なイベント駆動型で行ってもよいし、イベント駆動およびフロー駆動を組み合わせて行ってもよい。
【符号の説明】
【００７９】
１  映像出力装置（映像出力機器）
２  テレビジョン装置（外部機器）
５  ネットワーク
１０  制御部
１４  ＨＤＭＩトランスミッタ（送信部、デジタル送信部）
１５ｂ  アナログ信号送信部（アナログ送信部）
１６  ネットワーク接続部
１８  表示窓（状態表示部）
１９  センサ部（検出部）
２４  表示部
１００  ＡＶシステム（映像システム）
【図１】
2014003468.tif 000003
【図２】
2014003468.tif 000004
【図３】
2014003468.tif 000005
【図４】
2014003468.tif 000006
【図５】
2014003468.tif 000007